(57)【要約】      （修正有）【課題】シートの両端をきれいにそろえて巻き取ることができるロールの巻足し装置を提供する。【解決手段】第１のロールシート１００に巻かれているシートを第２のロールシート１１０に巻加えるための巻足し装置は、水平方向に対して傾斜した回転軸を中心に回転可能に設けられ、前記回転軸を第２のロールシート１１０の巻取り中心に一致させるように前記第２のロールシートを支持する巻取り本体部と、巻取り本体部の下端に前記回転軸に対して直交するように連結され前記巻取り本体部と一体に回転する平板状の巻取り基準部を備える巻取り部と、前記巻取り部の回転軸に平行に設けられた支持本体部と、前記支持本体部に連結され前記巻取り基準部の表面と同一平面位置に設けられた支持基準部とを備える支持部を有する。【選択図】図３Ｂ
2011136787.tif 000002
【特許請求の範囲】
【請求項１】
第１のロールシートを回転可能に支持する支持部と第２のロールシートを支持すると共に巻取り方向に回転させる巻取り部とを備え、前記第１のロールシートに巻かれているシートを前記第２のロールシートに巻加えるための巻足し装置であって、
前記巻取り部は水平方向に対して傾斜した回転軸を中心に回転可能に設けられ、前記回転軸を第２のロールシートの巻取り中心に一致させるように前記第２のロールシートを支持する巻取り本体部と、巻取り本体部の下端に前記回転軸に対して直交するように連結され前記巻取り本体部と一体に回転する平板状の巻取り基準部を備え、
前記支持部は、前記巻取り部の回転軸に平行に設けられた支持本体部と、前記支持本体部に連結され前記巻取り基準部の表面と同一平面位置に設けられた支持基準部とを備える、ことを特徴とするロールシートの巻足し装置。
【請求項２】
前記支持部と巻取り部は、ケーシングの前面に設けられた傾斜面に設けられていることを特徴とする、請求項１に記載のロールシートの巻足し装置。
【請求項３】
前記ケーシングの傾斜面は、水平面に対して３０から６０度の角度で傾斜していることを特徴とする、請求項２に記載のロールシートの巻足し装置。
【請求項４】
前記巻取り本体部及び支持本体部は、それぞれ前記第１のロールシート及び第２のロールシートの巻き取り中心に挿入可能な棒状部材であり、
前記巻取り基準部及び支持基準部は、それぞれ、棒状部材の下端に設けられた円板であることを特徴とする、請求項１から３のいずれか１つに記載のロールシートの巻足し装置。
【請求項５】
前記巻取り基準部の表面に、前記第２のロールシートの巻取り径の目安となる目盛りが設けられていることを特徴とする、請求項４に記載のロールシートの巻足し装置。
【請求項６】
前記巻取り本体部は、棒状の軸芯と、前記軸芯の周囲に装着される可撓性の被覆部材と、前記被覆部材の外径寸法を拡大させることで挿入された前記第２のロールシートを固定する固定部材を備えることを特徴とする、請求項４又は５に記載のロールシートの巻足し装置。
【請求項７】
前記軸芯は、前記被覆部材よりも短く構成された雌ネジで構成され、
前記固定部材は、前記軸芯に螺合し、前記被覆部材の上端を押圧する押さえ部材で構成されていることを特徴とする、請求項６に記載のロールシートの巻足し装置。
【発明の詳細な説明】
【技術分野】
【０００１】
本発明は、一のロールに巻かれているシートを他のロール上に巻足すためのロールの巻足し装置に関するものであり、特に、残量が少なくなった一のトイレットロールを他のトイレットロール上に巻足し、再生するための装置に関する。
【背景技術】
【０００２】
ホテルやショッピング施設では、施設内のトイレに置かれているトイレットロールに関して、常に十分な使用残量を維持し使用残量が少なくなったトイレットロールは、新しいものに取り替えられるように管理されている場合がある。この回収された使用途中のトイレットロールは、ほとんど廃棄処分されている。
【０００３】
これらの残量が少なくなったトイレットロールを廃棄することは経済的ではないことから、これらの残量が少ない複数のトイレットロールのトイレットペーパーを１つのロールに巻足すための巻足し器が、例えば特許文献１に開示されている。
【０００４】
特許文献１に開示されている巻足し器は、一のロールシートを回転可能に支持する一方、他のロールシートを巻取り方向に回転させることによって、一のトイレットロールのトイレットペーパーを他のトイレットロールに巻き取るものであり、トイレットペーパーを継ぎ足す際にトイレットペーパーの端部を仮保持する仮保持部が設けられている。
【先行技術文献】
【特許文献】
【０００５】
【特許文献１】実用新案登録第３１４９９７８号公報
【発明の概要】
【発明が解決しようとする課題】
【０００６】
しかし、特許文献１の巻足し器は、回転する巻き取り部へのシートの巻き取り位置がぶれ、両端がきれいにそろった状態で巻き取ることができないという問題があった。
【０００７】
すなわち、特許文献１の巻足し器の巻き取り部は、水平あるいは傾斜して設けられており、互いに平行に構成された支持部及び巻き取り部を備える。そして、支持部から巻出されるシートをそのまままっすぐに送って巻き取り部へ巻き取ることによって、シートをきれいに巻き取ることを可能とするものである。しかし、支持部から巻取り部へ送られるシート、特に、巻き取り部での巻き取り位置におけるシートについては、その位置規制がされておらず、巻き取り部の巻き取り速度が変化したりシートのシワなどによる表面の凹凸によりシートの巻き取り位置がずれるなどの原因で、シートの両端がそろったきれいな巻き取りが困難であるという問題があった。
【０００８】
このため、特許文献１の巻足し器では、トイレットペーパーを他のトイレットロールに巻き取る際にトイレットペーパーの両端にずれが発生して、十分にきれいに巻き取ることが困難であり、使用者の衛生的観点から好ましいものであるとはいえないものであった。
【０００９】
したがって、本発明が解決しようとする技術的課題は、ロールシートの巻き取り速度の変化や表面の凹凸などの原因があっても、シートの両端をきれいにそろえて巻き取ることができるロールの巻足し装置を提供することである。
【課題を解決するための手段】
【００１０】
本発明は、上記技術的課題を解決するために、以下の構成のロールの巻足し装置を提供する。
【００１１】
本発明の第１態様によれば、第１のロールシートを回転可能に支持する支持部と第２のロールシートを支持すると共に巻取り方向に回転させる巻取り部とを備え、前記第１のロールシートに巻かれているシートを前記第２のロールシートに巻加えるための巻足し装置であって、
前記巻取り部は水平方向に対して傾斜した回転軸を中心に回転可能に設けられ、前記回転軸を第２のロールシートの巻取り中心に一致させるように前記第２のロールシートを支持する巻取り本体部と、巻取り本体部の下端に前記回転軸に対して直交するように連結され前記巻取り本体部と一体に回転する平板状の巻取り基準部を備え、
前記支持部は、前記巻取り部の回転軸に平行に設けられた支持本体部と、前記支持本体部に連結され前記巻取り基準部の表面と同一平面位置に設けられた支持基準部とを備える、ことを特徴とするロールシートの巻足し装置を提供する。
【００１２】
本発明の第２態様によれば、前記支持部と巻取り部は、ケーシングの前面に設けられた傾斜面に設けられていることを特徴とする、第１態様のロールシートの巻足し装置を提供する。
【００１３】
本発明の第３態様によれば、前記ケーシングの傾斜面は、水平面に対して３０から６０度の角度で傾斜していることを特徴とする、第２態様のロールシートの巻足し装置を提供する。
【００１４】
本発明の第４態様によれば、前記巻取り本体部及び支持本体部は、それぞれ前記第１のロールシート及び第２のロールシートの巻き取り中心に挿入可能な棒状部材であり、
前記巻取り基準部及び支持基準部は、それぞれ、棒状部材の下端に設けられた円板であることを特徴とする、第１から第３態様のいずれか１つのロールシートの巻足し装置を提供する。
【００１５】
本発明の第５態様によれば、巻取り基準部の表面に、前記第２のロールシートの巻取り径の目安となる目盛りが設けられていることを特徴とする、第４態様のロールシートの巻足し装置を提供する。
【００１６】
本発明の第６態様によれば、前記巻取り本体部は、棒状の軸芯と、前記軸芯の周囲に装着される可撓性の被覆部材と、前記被覆部材の外径寸法を拡大させることで挿入された前記第２のロールシートを固定する固定部材を備えることを特徴とする、第４又は第５態様のロールシートの巻足し装置を提供する。
【００１７】
本発明の第７態様によれば、前記軸芯は、前記被覆部材よりも短く構成された雌ネジで構成され、
前記固定部材は、前記軸芯に螺合し、前記被覆部材の上端を押圧する押さえ部材で構成されていることを特徴とする、第６態様のロールシートの巻足し装置を提供する。
【発明の効果】
【００１８】
本発明によれば、支持部と巻取り部が水平方向に対して傾斜して設けられているため、支持部から繰り出されたシートが巻取り本体部の下端に設けられた巻取り基準部に当接した状態で第２のロールシートへ巻足される。すなわち、巻取り基準部が巻取り本体部へのロールシートの巻取り時にガイドとして機能するため、ロールシートの下端の位置がそろった状態で巻き取られる。さらに、巻取り基準部と支持基準部とが同一平面上に設けられているため、第１のロールから繰り出されたシートがそのまままっすぐに第２のロールシートに供給されることになり、巻取り基準部に当接したシートが撚れることなく、下端の位置を維持することができる。したがって、シートの両端をきれいにそろえて巻き取ることができる。
【００１９】
本発明の第２態様によれば、ケーシングの前面を傾斜させることにより支持部及び巻取り部の取り付けを容易にすることができる。また、傾斜面の角度を３０から６０度、さらに好ましくは４５度にすることにより、巻取り基準部に当接するシートを撚れることなく巻足すことができる。３０度より小さいと支持部が立ち上がり、シートが巻取り基準部に当接する方向の力の成分が大きくなりシートが撚れやすく、また、６０度より大きいと、シートが巻取り基準部に当接する方向の力の成分が小さくなりシートが巻取り基準部から浮き上がりやすくなる。したがって、シートの両端をそろえてきれいに巻足すことができる。
【００２０】
本発明の第４態様によれば、簡単な構成で第１のロールシート及び第２のロールシートを支持することができ、また、ロールシートの巻取り中心と巻取り部の回転軸とを一致した状態に保持することができる。
【００２１】
本発明の第５態様によれば、第２のロールシートの巻取り量を目視で判断することができ、所望の量が巻き取られたことを容易に判断することができる。
【００２２】
また、本発明の第６態様によれば、被覆部材を拡大させることで、第２のロールシートと巻取り本体部との間に滑りを起こさせることなくロールシートを固定することができる。
【００２３】
また、本発明の第７態様によれば、被覆部材を長さ方向に圧縮することで、幅方向に拡径させることができ、固定部材を簡単な構成とすることができる。
【図面の簡単な説明】
【００２４】
【図１】本発明の実施形態にかかるロールシートの巻足し装置の外観構成を示す斜視図である。
【図２】図１のロールシートの巻足し装置の内部構造を示す側面図である。
【図３Ａ】図１のロールシートの巻足し装置の使用例を示す斜視図である。
【図３Ｂ】図１のロールシートの巻足し装置の使用例を示す斜視図であり、図３Ａの次の工程を示す図である。
【図４】図１のロールシートの巻足し装置の支持部の構成を示す断面図である。
【図５】図１のロールシートの巻足し装置の巻取り部の構成を示す断面図である。
【図６】図１のロールシートの巻足し装置の巻取り部の被覆部材が拡径している状態を示す断面図である。
【発明を実施するための形態】
【００２５】
以下、本発明の一実施形態に係るロールシートの巻足し装置について、図面を参照しながら説明する。
【００２６】
図１は、本発明の実施形態にかかるロールシートの巻足し装置の外観構成を示す斜視図である。図２は、図１のロールシートの巻足し装置の内部構造を示す側面図である。本実施形態にかかる巻足し装置１は、第１のロールシートに巻かれているシートを第２のロールシートに巻加えるための装置である。
【００２７】
さらに具体的には、本実施形態の巻足し装置１は、巻き取られる側の第１のロールシートに巻かれているシートを、巻き取る側の第２のロールシートに巻足すことによりその使用残量を増加させるための装置である。また、二つのロールシートを巻足すだけでは必要な使用残量を確保できない場合にあっては、更に別のロールシートに巻かれているシートを追加して巻足してもよい。
【００２８】
なお、本発明において「ロールシート」とは、例えば、トイレットペーパーのような幅方向に比べて長さ方向が長い帯状のシートを長さ方向に向かって平行に巻き取った状態のもののことを意味する。したがって、トイレットロールに限らず、プラスチックフィルム等をロール状に巻き取ったものも含まれる。また、シートを巻き取るための芯材の有無も問わない。該ロールシートの具体例としては、トイレットペーパーの他、キッチンペーパー、食品用ラップフィルム、アルミホイル及び各種テープ等のロールが例示できる。以下、トイレットペーパーを巻芯に巻いたトイレットロールを例として実施形態の説明を進める。
【００２９】
本実施形態の巻足し装置１は、ケーシング２に、第１のトイレットロール１００を回転可能に支持する支持部３と第２のトイレットロール１１０を支持すると共に巻取り方向に回転させる巻取り部４とを備える。
【００３０】
ケーシング２は、図２に示すように、前面が傾斜面２１なるような台形形状の側面を有する箱状の部材である。ケーシング２の前面の傾斜面２１は、水平方向に対して傾斜角θを持つように設けられている。傾斜角θは、３０から６０度の範囲で設けられることが好ましく、本実施形態では、４５度に構成されている。
【００３１】
傾斜角θは、後述するように、支持軸３２及び巻取り軸４２が有する傾斜角度を持つように設けられる。当該支持軸３２及び巻取り軸４２が傾斜を有することでトイレットロールのペーパーが撚れることなく、第２のトイレットロールにきれいに巻足すことができる。
【００３２】
また、ケーシング２の上面２２には、グリップ２３が設けられており、持ち運び時の取ってとして使用するほか、トイレットロールの巻取り時に巻足し装置ががたつかないように押さえ部材として用いられる。
【００３３】
また、ケーシング２の背面２４には、後述する巻取り部４のハンドル４８が設けられる（図２参照）。
【００３４】
支持部３は、ケーシング２の傾斜面２１から突出するように固定された部材である。支持部３は、支持基準部の一例として機能する円板で構成されたフランジ３１と、フランジ３１の中心部分にフランジ３１に対して直交するように設けられた支持本体部の一例としての支持軸３２と、支持軸３２が嵌入することによって支持軸３２に固定されるチューブ状の被覆部材３３とを備える。
【００３５】
支持軸３２は棒形状の部材であり、第１のトイレットロール１００の巻芯に挿入されることによって第１のトイレットロール１００を支持する。支持軸３２の長さ寸法は、装着される第１のトイレットロール１００の幅寸法より若干短く構成されている。第１のトイレットロール１００の巻芯の内径が支持軸３２に対して大きい場合は、被覆部材３３を支持軸に装着させ、支持軸３２を第１のトイレットロール１００の巻芯の内径と同じ径寸法とする。これにより、第１のトイレットロール１００の回転中心は支持軸３２の中心軸Ｃ１とほぼ一致するように支持され、巻足し時においてロールのガタツキを防止することができる。
【００３６】
支持軸３２に取り付けられたトイレットロール１００は、支持軸３２の下端に設けられたフランジ３１に当接するように配置される。
【００３７】
被覆部材３３は、支持部３に支持されたトイレットロール１００が支持軸３２の中心軸Ｃ１を中心として回転可能とするために、表面が比較的硬質で平滑に構成されていることが好ましい。被覆部材３３としては、例えば硬質ウレタン素材などを用いることができる。
【００３８】
支持部３は、図２に示すようにフランジ３１の裏側に突出した取り付けネジ３４とナット３５によって、ケーシング２の傾斜面２１に固定される。このとき、支持軸３２がケーシング２の傾斜面２１に直交するような向きに固定される。したがって、フランジ３１は、ケーシング２の傾斜面２１に対して平行になり、傾斜面２１の表面から離間した状態となっている。また、支持部３の取り付け位置は、後述する巻取り部４の巻取り軸よりも若干上になるように構成されている。これは、巻取り部４は、トイレットロールを新品時程度の大きさになるまで巻取ることで大径のものとなる一方、支持部は、使用途中の小径のトイレットロールを使用するためである。
【００３９】
前述のように、ケーシング２の傾斜面２１は、水平方向に対して傾斜角θを有するように設けられているため、支持部３の支持軸３２は、水平方向に対して角度θだけ傾斜するように配置される。
【００４０】
支持部３は、第１のトイレットロール１００の下端が平板状の部材の表面に密着するように配置され、かつ、第１のトイレットロール１００を円滑に回転可能に支持するものであれば、特にその構成が限定されるものではない。例えば、一本の支持軸で構成されず、トイレットロール１００の両端を上下方向から狭持する部材や、第１のトイレットロール１００を嵌装する筒状のホルダなどを例示することができる。
【００４１】
巻取り部４は、ケーシング２の傾斜面２１から突出するように固定された部材と当該突出部材を回転させるための駆動機構を備えた部材である。
【００４２】
巻取り部４は、巻取り基準部の一例として機能する円板で構成されたフランジ４１と、フランジ４１の中心部分にフランジ４１に対して直交するように設けられた巻取り本体部の一例としての巻取り軸４２と、巻取り軸４２が嵌入することによって巻取り軸４２に固定されるチューブ状の被覆部材４３とを有している。
【００４３】
フランジ４１の表面には、巻取り側である第２のトイレットロール１１０の巻取り径の目安となる目盛り４１ａが設けられている。目盛り４１ａの位置としては、例えば、新品時のトイレットロールと同程度の径とすることができる。
【００４４】
巻取り軸４２は、棒形状の部材であり、トイレットロール１１０の巻芯に挿入されることによって第２のトイレットロール１１０を支持する。巻取り軸４２に取り付けられた第２のトイレットロール１１０は、巻取り軸４２の下端に設けられたフランジ４１に当接するように配置される。
【００４５】
巻取り軸４２は、第２のトイレットロール１１０の巻芯の内径よりも小径に構成されており、第２のトイレットロール１１０のがたつきを防止するための被覆部材４３が巻取り軸４２に装着されている。
【００４６】
被覆部材４３は巻取り軸４２よりも若干長く構成され、また、トイレットロールの巻芯の内径よりもわずかに細く構成されている。また、被覆部材４３は、巻取り部４に支持されたトイレットロール１１０が巻取り軸４２に対して回転しないように保持するために、比較的軟質な部材で構成されていることが好ましい。被覆部材４３としては、例えば被覆部材３３より軟質なウレタン素材などを用いることができる。
【００４７】
巻取り軸４２は、上方に雌ネジがねじ切りされており、当該ねじ切り部分４２ａに螺号可能な固定部材の一例としての固定ネジ４４が設けられている。固定ネジ４４は、巻取り軸４２から上方に突出した被覆部材４３の上端を押圧し、被覆部材４３を径方向に拡径させてトイレットロール１１０が巻取り軸に対して回転しないように固定する。なお、被覆部材を径方向に均一に拡径させることで、巻取り軸の中心軸Ｃ２と第２のトイレットロール１１０の回転中心とを略一致させることができる。固定ネジ４４による第２のトイレットロール１１０の固定動作について詳細は後述する。
【００４８】
巻取り部４は、図２に示すようにフランジ４１の裏側に突出した取り付け部材４９によって、ケーシング２内に設けられた駆動機構に連結される。
【００４９】
巻取り部４の取り付け部材４９は、ケーシング２の傾斜面２１に設けられたベアリングユニット４５を介して中心軸Ｃ２を中心として回転可能に支持される。このとき、巻取り軸４２がケーシング２の傾斜面２１に直交するような向きに固定される。したがって、フランジ４１は、ケーシング２の傾斜面２１に対して平行になり、傾斜面２１の表面から離間した状態となっている。
【００５０】
また、ケーシング２の傾斜面２１は水平方向に対して傾斜角θを有するように設けられているため、巻取り部４の巻取り軸４２は、水平方向に対して角度θだけ傾斜するように配置される。
【００５１】
巻取り部４のフランジ４１及び支持部３のフランジ３１は、ケーシング２の傾斜面２１に対して同じ間隔をおいて配置される。すなわち、両フランジ３１，４１の表面は同一平面上に配置されている。
【００５２】
ケーシング２内に設けられた駆動機構としては、電動であっても手動であってもよいが、本実施形態では、手動式の駆動機構を備えている。具体的には、取り付け部材４９に連結するユニバーサルジョイント４６と当該ユニバーサルジョイント４６の他端側に連結する駆動軸４７と、当該駆動軸４７の他端側に連結するハンドル４８を備えている。
【００５３】
ハンドル４８は、ケーシング２の背面２４に設けられており、使用者がつまみ４８ａを持って回転させる。ハンドルが回転すると、駆動軸４７、ユニバーサルジョイント４６が回転し、ユニバーサルジョイント４６に連結されている取り付け部材４９が回転する。
【００５４】
なお、ユニバーサルジョイント４６は、ハンドル４８の位置が低くなって装置が大型化しないように、かつ傾斜角θを有するケーシングの傾斜面２１に対して背面２４が鉛直方向に設けられているために駆動機構を屈曲させる必要から設けられたものである。したがって、ユニバーサルジョイント４６の代わりに、駆動機構を屈曲させることができる機構であればよく、例えば、傘歯車などを用いてもよい。
【００５５】
次に、本実施形態の巻足し装置を用いてトイレットロールに巻かれたペーパーを他のトイレットロールに巻足すに作業について説明する。図３Ａは図１のロールシートの巻足し装置の使用例を示す斜視図である。図３Ｂは、図１のロールシートの巻足し装置の使用例を示す斜視図であり、図３Ａの次の工程を示す図である。
【００５６】
本実施形態にかかる巻足し装置の使用時には、第１のトイレットロール１００を支持部３に第２のトイレットロール１１０を巻取り部３に取り付ける。この際、それぞれのトイレットロールが右周りに回転するように、端部１０１，１１１をケーシング上面２２側となるように取り付けることが好ましい。
【００５７】
なお、上記のように支持部３の支持軸３２は、第１のトイレットロール１００よりも短く構成されているため、図４に示すように、第１のトイレットロール１００の装着時には、支持軸３２の上方に隙間が形成される。
【００５８】
次いで、第２のトイレットロール１１０を巻取り部４へ装着する場合は、巻取り軸４２と第２のトイレットロール１１０の空回りを防止するために、固定ネジ４４の締め付けを行なう。図５に示すように、通常時の被覆部材４３の外径寸法Ｒ１は、第２のトイレットロール１１０の巻芯の内径よりもわずかに小さくなるように構成されている。また、被覆部材４３の上方部分は、巻取り軸４２よりも上方に突出して取り付けられている。
【００５９】
この状態で第２のトイレットロール１１０を巻取り軸４２に差し込む。被覆部材４３は、上記のように軟質な材質で構成されているが、巻取り軸４２が支持していることから、被覆部材４３を撓ませることなく、第２のトイレットロール１１０の下端がフランジ４１に当接するまで差し込むことができる。
【００６０】
次いで、固定ネジ４４のネジ部４４ａを巻取り軸４２のねじ切り部分４２ａにねじ込む。この際、固定ネジ４４の頭を上方から支えながら、ハンドル４８を回転させることで、巻取り軸４２が回転し、短時間で螺合させることができる。
【００６１】
固定ネジ４４がねじ込まれることにより、ネジの頭部下面４４ｂが被覆部材４３の上面４３ａに当接する。さらに固定ネジがねじ込まれると、ネジの頭部下面４４ｂが被覆部材４３を下方へ押圧し、フランジ４１と狭持することによって、被覆部材４３が径方向へ変形する。その結果、被覆部材４３の外径寸法Ｒ２が大きくなり、被覆部材４３が第２のトイレットロール１１０の巻芯の内壁面へ押しつけられ、第２のトイレットロール１１０を巻取り軸４２に固定する。また、被覆部材４３を径方向に均一に拡径させることができるので、巻取り軸の中心軸Ｃ２と第２のトイレットロール１１０の回転中心とを略一致させることができる。
【００６２】
次に、図３Ａに示すように、第１のトイレットロール１００の端部１０１をロールから引出し、第２のトイレットロール１１０の端部１１１とロール部分１１２との間に挟み込む。この際、第１のトイレットロール１００の端部１０１の下端が、支持部３のフランジ３１及び巻取り部４のフランジ４１の表面に沿うように、端部１０１の幅方向両端を第２のトイレットロール１１０の幅に合わせることが好ましい。
【００６３】
次に、第２のトイレットロール１１０の端部１１１を第１のトイレットロール１００の端部１０１の上側に戻し、図３Ｂの矢印９０に示すように、第２のトイレットロール１１０を回転させて第１のトイレットロール１００を第２のトイレットロール１１０の最外層のペーパーの上に巻き付ける。この作業により、第１のトイレットロール１００が第２のトイレットロール１１０から抜け落ちることが防止される。
【００６４】
次に、ハンドル４８を回転させ、巻取り軸４２を回転させることで、第１のトイレットロール１００のペーパーが第２のトイレットロール１１０に巻き取られる。このとき、第１のトイレットロール１００のペーパーは、支持部３のフランジ３１及び巻取り部４のフランジ４１の表面に沿って送られ、ペーパーの下端位置が決められているため、第２のトイレットロール１１０の両端に合わせてきれいに巻き取ることができる。すなわち、フランジ４１が第２のトイレットロール１１０の巻取り時にガイドとして機能するため、ペーパーの下端の位置がそろった状態で巻き取られる。さらに、支持部３のフランジ３１及び巻取り部４のフランジ４１が同一平面上に設けられているため、第１のトイレットロール１００から繰り出されたペーパーがそのまままっすぐに第２のトイレットロール１１０に送られることになり、巻取り部４のフランジ４１に当接したペーパーが撓むことなく、下端の位置を維持することができる。
【００６５】
このとき、支持軸３２と第１のトイレットロール１００の間の摩擦が、支持軸３２と巻取り軸４２との間のペーパーに対して適度な張力を発揮させ、巻取り時のペーパーのずれを少なくすることができる。
【００６６】
また、傾斜角θを有するケーシング２の傾斜面２１に設けられている支持軸３２及び巻取り軸４２は、水平方向に対して傾斜しているため、ペーパーが撓むことなく巻足される。傾斜角θを４５度とすることで、ペーパーが巻取り部４のフランジ４１に当接する方向の力の成分が適切なものとなり、ペーパーが幅方向に撓んだり、ペーパーが巻取り部４のフランジ４１から浮き上がったりすることを防止することができる。
【００６７】
第１のトイレットロール１００のペーパーがすべて第２のトイレットロール１１０に巻き取られると、支持軸３２には、第１のトイレットロールの巻芯１０２が残る。巻芯１０２を取り除く場合は、支持軸３２の上方に位置する形成される隙間１０３（図４参照）を利用して、巻芯１０２をつまんで上方へ引き抜くことで、支持軸３２から容易に取り除くことができる。
【００６８】
なお、巻取り部４のフランジ４１の表面に付された目盛り４１ａを参考にして新品程度のトイレットロールの径を目視で確認してもよい。すなわち、第１のトイレットロール１００の巻取り途中で、第２のトイレットロール１１０が新品程度の大きさまで巻き取られた場合は、巻取りを中断するようにしてもよい。
【００６９】
本実施形態のロールシートの巻足し装置によれば、支持部と巻取り部が水平方向に対して傾斜して設けられているため、支持部から繰り出されたシートが巻取り本体部の下端に設けられた巻取り基準部に当接した状態で第２のロールシートへ巻足される。すなわち、巻取り基準部が巻取り本体部へのロールシートの巻取り時にガイドとして機能するため、ロールシートの下端の位置がそろった状態で巻き取られる。さらに、巻取り基準部と支持基準部とが同一平面上に設けられているため、第１のロールから繰り出されたシートがそのまままっすぐに第２のロールシートに供給されることになり、巻取り基準部に当接したシートが撚れることなく、下端の位置を維持することができる。したがって、シートの両端をきれいにそろえて巻き取ることができる。
【００７０】
なお、本発明は上記実施形態に限定されるものではなく、その他種々の態様で実施可能である。
【００７１】
例えば、巻取り部４の駆動機構としては、ケーシングの背面２４に設けたハンドルを回転させる構成としているが、ハンドルをケーシング２の傾斜面２１に設け、歯車などを利用して巻取り軸４２を回転させるようにしてもよい。このように構成することにより、ケーシングのサイズが大きくなるが、駆動軸の屈曲をなくして装置を容易に構成することができる。
【００７２】
また、第２のロールシートを巻取り本体部に固定する固定部材の例としては、本実施形態のようにネジ式に限られるものではなく、回転中心Ｃ２に対称に均一に被覆部材の外径を拡大させることができるものであれば、その構成は問われない。例えば、圧縮気体をバックに送り込むことによって被覆部材の拡径させたり、回転軸に対して均等角度に設けられた機構により被覆部材を拡径させたりするようにすることも可能である。
【産業上の利用可能性】
【００７３】
本発明のロールシートの巻足し装置は、使用途中で廃棄処分されているのが現状のロールシートを再生し、資源の有効利用を図ることができる。
【符号の説明】
【００７４】
１  ロールシートの巻足し装置
２  ケーシング
３  支持部
４  巻取り部
２１  傾斜面
２２  上面
２３  グリップ
２４  背面
３１  フランジ
３２  支持軸
３３  被覆部材
３４  取り付けネジ
３５  ナット
４１  フランジ
４２  巻取り軸
４３  被覆部材
４４  固定ネジ
４５  ベアリングユニット
４６  ユニバーサルジョイント
４７  駆動軸
４８  ハンドル
４９  取り付け部材
１００  第１のトイレットロール
１０１  第１のトイレットロール端部
１１０  第２のトイレットロール
１１１  第２のトイレットロール端部
【図１】
2011136787.tif 000003
【図２】
2011136787.tif 000004
【図３Ａ】
2011136787.tif 000005
【図３Ｂ】
2011136787.tif 000006
【図４】
2011136787.tif 000007
【図５】
2011136787.tif 000008
【図６】
2011136787.tif 000009
【手続補正書】
【提出日】平成22年11月17日(2010.11.17)
【手続補正１】
【補正対象書類名】特許請求の範囲
【補正対象項目名】請求項１
【補正方法】変更
【補正の内容】
【請求項１】
第１のロールシートを回転可能に支持する支持部と第２のロールシートを支持すると共に巻取り方向に回転させる巻取り部とを備え、前記第１のロールシートに巻かれているシートを前記第２のロールシートに巻加えるための巻足し装置であって、
前記巻取り部は水平方向に対して傾斜した回転軸を中心に回転可能に設けられ、前記回転軸を第２のロールシートの巻取り中心に一致させるように前記第２のロールシートを支持する棒状の巻取り本体部と、巻取り本体部の下端に前記回転軸に対して直交するように連結され前記巻取り本体部と一体に回転する平板状の巻取り基準部を備え、
前記支持部は、前記巻取り部の回転軸に平行に設けられ前記第１のロールシートの内径と同じ径寸法の棒状の支持本体部と、前記支持本体部に連結され前記巻取り基準部の表面と同一平面位置に設けられた支持基準部とを備え、前記第１のロールシートの装着時に前記支持本体部の上方に隙間を形成するように構成されることを特徴とするロールシートの巻足し装置。
【手続補正２】
【補正対象書類名】明細書
【補正対象項目名】００１１
【補正方法】変更
【補正の内容】
【００１１】
本発明の第１態様によれば、第１のロールシートを回転可能に支持する支持部と第２のロールシートを支持すると共に巻取り方向に回転させる巻取り部とを備え、前記第１のロールシートに巻かれているシートを前記第２のロールシートに巻加えるための巻足し装置であって、
前記巻取り部は水平方向に対して傾斜した回転軸を中心に回転可能に設けられ、前記回転軸を第２のロールシートの巻取り中心に一致させるように前記第２のロールシートを支持する棒状の巻取り本体部と、巻取り本体部の下端に前記回転軸に対して直交するように連結され前記巻取り本体部と一体に回転する平板状の巻取り基準部を備え、
前記支持部は、前記巻取り部の回転軸に平行に設けられ前記第１のロールシートの内径と同じ径寸法の棒状の支持本体部と、前記支持本体部に連結され前記巻取り基準部の表面と同一平面位置に設けられた支持基準部とを備え、前記第１のロールシートの装着時に前記支持本体部の上方に隙間を形成するように構成される、ことを特徴とするロールシートの巻足し装置を提供する。
【手続補正３】
【補正対象書類名】明細書
【補正対象項目名】００３９
【補正方法】削除
【補正の内容】
【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
第１のロールシートを回転可能に支持する支持部と第２のロールシートを支持すると共に巻取り方向に回転させる巻取り部とを備え、前記第１のロールシートに巻かれているシートを前記第２のロールシートに巻加えるための巻足し装置であって、
前記巻取り部は水平方向に対して傾斜した回転軸を中心に回転可能に設けられ、前記回転軸を第２のロールシートの巻取り中心に一致させるように前記第２のロールシートを支持する、軸芯周りに被覆部材が設けられた棒状の巻取り本体部と、巻取り本体部の下端に前記回転軸に対して直交するように連結され前記巻取り本体部と一体に回転する平板状の巻取り基準部を備え、
前記支持部は、前記巻取り部の回転軸に平行に設けられ前記第１のロールシートの内径と同じ径寸法で、軸芯周りに前記巻取り部よりも硬質に構成された被覆部材が設けられた棒状の支持本体部と、前記支持本体部に連結され前記巻取り基準部の表面と同一平面位置に設けられた支持基準部とを備え、前記第１のロールシートの装着時に前記支持本体部の上方に隙間を形成するように構成されることを特徴とするロールシートの巻足し装置。
【請求項２】
前記支持部と巻取り部は、ケーシングの前面に設けられた傾斜面に設けられていることを特徴とする、請求項１に記載のロールシートの巻足し装置。
【請求項３】
前記ケーシングの傾斜面は、水平面に対して３０から６０度の角度で傾斜していることを特徴とする、請求項２に記載のロールシートの巻足し装置。
【請求項４】
前記巻取り基準部及び支持基準部は、それぞれ、棒状部材の下端に設けられた円板であることを特徴とする、請求項１から３のいずれか１つに記載のロールシートの巻足し装置。
【請求項５】
前記巻取り基準部の表面に、前記第２のロールシートの巻取り径の目安となる目盛りが設けられていることを特徴とする、請求項４に記載のロールシートの巻足し装置。
【請求項６】
前記巻取り本体部は、前記被覆部材の外径寸法を拡大させることで挿入された前記第２のロールシートを固定する固定部材を備えることを特徴とする、請求項１から５のいずれか１つに記載のロールシートの巻足し装置。
【請求項７】
前記巻取り本体部の軸芯は、前記被覆部材よりも短く構成された雌ネジで構成され、
前記固定部材は、前記軸芯に螺合し、前記被覆部材の上端を押圧する押さえ部材で構成されていることを特徴とする、請求項６に記載のロールシートの巻足し装置。
【手続補正２】
【補正対象書類名】明細書
【補正対象項目名】００１１
【補正方法】変更
【補正の内容】
【００１１】
本発明の第１態様によれば、第１のロールシートを回転可能に支持する支持部と第２のロールシートを支持すると共に巻取り方向に回転させる巻取り部とを備え、前記第１のロールシートに巻かれているシートを前記第２のロールシートに巻加えるための巻足し装置であって、
前記巻取り部は水平方向に対して傾斜した回転軸を中心に回転可能に設けられ、前記回転軸を第２のロールシートの巻取り中心に一致させるように前記第２のロールシートを支持する、軸芯周りに被覆部材が設けられた棒状の巻取り本体部と、巻取り本体部の下端に前記回転軸に対して直交するように連結され前記巻取り本体部と一体に回転する平板状の巻取り基準部を備え、
前記支持部は、前記巻取り部の回転軸に平行に設けられ前記第１のロールシートの内径と同じ径寸法で、軸芯周りに前記巻取り部よりも硬質に構成された被覆部材が設けられた棒状の支持本体部と、前記支持本体部に連結され前記巻取り基準部の表面と同一平面位置に設けられた支持基準部とを備え、前記第１のロールシートの装着時に前記支持本体部の上方に隙間を形成するように構成される、ことを特徴とするロールシートの巻足し装置を提供する。
【手続補正３】
【補正対象書類名】明細書
【補正対象項目名】００１４
【補正方法】変更
【補正の内容】
【００１４】
本発明の第４態様によれば、前記巻取り基準部及び支持基準部は、それぞれ、棒状部材の下端に設けられた円板であることを特徴とする、第１から第３態様のいずれか１つのロールシートの巻足し装置を提供する。
【手続補正４】
【補正対象書類名】明細書
【補正対象項目名】００１６
【補正方法】変更
【補正の内容】
【００１６】
本発明の第６態様によれば、前記巻取り本体部は、前記被覆部材の外径寸法を拡大させることで挿入された前記第２のロールシートを固定する固定部材を備えることを特徴とする、第４又は第５態様のロールシートの巻足し装置を提供する。